(57)【要約】疎結合ネットワーク内の第１の通信ネットワーク（１４）及び第２の通信ネットワーク（１６）において動作可能であり、かつ、第１のネットワーク番号及び第２のネットワーク番号並びに第１のネットワークボイスメールをそれぞれ有する通信ユニット（１２）における巡回呼出転送ループを防止する。通信ユニットが第１のネットワークにおいて動作していないとき、第１のネットワーク番号（５０）宛の呼出は第２のネットワーク番号（５２）に対し転送される。呼出が第１のネットワークにおいて受信されるとき（５４）、第１のネットワークボイスメールに対し直接的に転送される（５６）ように、第１のネットワークボイスメール番号（Ｐ３）が呼出に関連付けられる。これに代えて、続いて第２の通信ネットワークから呼出が受信され、かつ、続いて受信されたこの呼出のデータが最初の呼出又は転送された呼出と一致するとき、後続のこの呼出は第１のネットワークボイスメールに対し転送される。
2007512776.tif 000002
【特許請求の範囲】
【請求項１】
疎結合ネットワーク内の第１のネットワーク及び第２のネットワークにおいて動作可能であり、かつ、第１のネットワーク番号及び第２のネットワーク番号並びに第１のネットワークボイスメールをそれぞれ有する通信ユニットにおける、巡回呼出転送ループを防止するための方法であって、
通信ユニットの第１のネットワーク番号宛の呼出を受信する第１呼出受信工程と、
通信ユニットが第１のネットワークにおいて動作していないと判定したとき、呼出に対応する第１の識別データを記憶する第１識別データ記憶工程と、
通信ユニットの第２のネットワーク番号に呼出を転送する第２ネットワーク番号転送工程と、
第２ネットワーク番号転送工程に続いて、通信ユニットに対する第２の識別データを有する別の呼出を受信する第２呼出受信工程と、
第２の識別データを第１の識別データと比較する識別データ比較工程と、
識別データ比較工程により呼出転送ループが示されるとき、通信ユニットの第１のネットワークボイスメールに呼出を転送するボイスメール転送工程とからなる方法。
【請求項２】
呼出者識別データにループ証印を追加する工程を含むことと、
第１識別データ記憶工程はループ証印を呼出に対する呼出者識別データと組み合わせて呼出に記憶する工程を含むことと、
識別データ比較工程は、別の呼出に対応する他のループ証印を確認する工程と、別の呼出に対応する他のループ証印を呼出に対するループ証印と比較する工程と、一致が見出されて呼出転送ループが示されるとき、通信ユニットの第１のネットワークボイスメールに呼出を転送する工程とを含むことと、を含む請求項１に記載の方法。
【請求項３】
ループ証印は呼出者識別データに対するプレフィックス及びサフィックスのうちの一方を含み、プレフィックス及びサフィックスは所定の番号シーケンスを有する請求項２に記載の方法。
【請求項４】
第１識別データ記憶工程は記録した呼出発生数を通信ユニットにおいて記憶する工程を含むことと、
識別データ比較工程は、記録した呼出発生数をインクリメントする工程と、呼出発生に対する所定の制限が満たされるときを判定する工程と、所定の制限が満たされ呼出転送ループが示されるとき、通信ユニットの第１のネットワークボイスメールに呼出を転送する工程とを含むことと、を含む請求項１に記載の方法。
【請求項５】
音声及びデータ・トラフィックを交換するため並びに公衆交換電話網を通じて企業ネットワークをセルラーネットワークに接続するための交換機構と、
交換機構に接続されており、かつ、呼出を設定するためのコントローラと、
コントローラはプロセッサ及びコントローラ・メモリを備えることと、
コントローラ・メモリはプロセッサが、
セルラーネットワークにおける対応する通信デバイスセルラー番号に通信デバイス企業番号宛の企業呼出を転送すること、及び、
通信ユニットが企業ネットワークにおいて動作していないとき、通信ユニットの対応する通信デバイスセルラー番号に企業呼出を転送する前に、転送すると同時に又は転送した後に、呼出転送番号に呼出を関連付けること、を可能とするようにプログラムされていることと、
からなるネットワーク交換機。
【請求項６】
呼出転送番号が企業ネットワークボイスメール番号を含むことにより、セルラーネット
ワークから転送される呼出は通信ユニットに対するネットワークボイスメールに宛てられる請求項５に記載のネットワーク交換機。
【請求項７】
呼出転送番号に呼出を関連付けることは、通信ユニットが第２のネットワークに進入するとき、第２のネットワークにおける転送情報を操作するように通信ユニットに指示することにより呼出転送番号に呼出を関連付けて、失敗した呼出を呼出転送番号に関連付けることを含む請求項５に記載のネットワーク交換機。
【請求項８】
音声及びデータ・トラフィックを交換するため並びに公衆交換電話網を通じて企業ネットワークをセルラーネットワークに接続するための交換機構と、
交換機構に接続されており、かつ、交換機構に対する呼出を設定するためのコントローラと、
コントローラはプロセッサ及びコントローラ・メモリを備えることと、
コントローラ・メモリはプロセッサが、
セルラーネットワークにおける対応する通信ユニットセルラー番号に通信ユニット企業番号宛の企業呼出を転送すること、
企業呼出に対応する第１の識別データを最初に記憶すること、
セルラーネットワークから交換機構により受信された後続呼出に対応する第２の識別データを第１の識別データと比較すること、及び、
第２の識別データが第１の識別データと比較されることにより呼出転送ループが示されるとき、企業ネットワークボイスメールに後続呼出を転送すること、を可能とするようにプログラムされていることと、
からなるネットワーク交換機。
【請求項９】
プロセッサは呼出者識別データにループ証印を追加すること、及び、ループ証印を企業呼出に対する呼出者識別データと組み合わせて企業呼出に記憶するように動作することと、
比較することは、後続呼出に対応する他のループ証印を確認すること、後続呼出に対応する他のループ証印を企業呼出に対するループ証印と比較すること、及び、一致が見出されて呼出転送ループが示されるとき、通信ユニットの企業ネットワークボイスメールに呼出を転送することを含むことと、を含む請求項８に記載のネットワーク交換機。
【請求項１０】
第１の識別データを記憶することは、記録した呼出発生数を通信ユニットにおいて記憶することを含むことと、
比較することは、記録した呼出発生数をインクリメントすること、及び、呼出発生に対する所定の制限が満たされるときを判定すること、並びに、所定の制限が満たされ呼出転送ループが示されるとき、通信ユニットの第１のネットワークボイスメールに呼出を転送することを含むことと、を含む請求項８に記載のネットワーク交換機。
【請求項１１】
疎結合ネットワーク内の第１のネットワーク及び第２のネットワークにおいて動作可能であり、かつ、第１のネットワークを用いる第１のネットワーク番号、第２のネットワークを用いる第２のネットワーク番号、及び第１のネットワークボイスメールを有する通信ユニットにおける、巡回呼出転送ループを防止するための方法であって、
通信ユニットが第１のネットワークにおいて動作していないと判定したとき、第１のネットワーク番号にて通信ユニットに対する呼出を受信する第１呼出受信工程と、
オリジナル呼出番号及びリダイレクト番号のうちの少なくとも一方が呼出に存在することを検出する番号検出工程と、
オリジナル呼出番号及びリダイレクト番号のうちの少なくとも一方が第２のネットワーク番号に等しい場合、第１のネットワークボイスメールに呼出を転送するボイスメール転送工程とからなる方法。
【請求項１２】
疎結合ネットワーク内の第１のネットワーク及び第２のネットワークにおいて動作可能であり、かつ、第１のネットワークを用いる第１のネットワーク番号、第２のネットワークを用いる第２のネットワーク番号、及び第１のネットワークボイスメールを有する通信ユニットにおける、巡回呼出転送ループを防止するための方法であって、
第１のネットワークにおいて、通信ユニットに対する呼出を通信ユニットの第２のネットワーク番号に対する呼出転送番号に関連付ける第２ネットワーク番号関連工程からなる方法。
【請求項１３】
第２ネットワーク番号関連工程は通信ユニットが第１のネットワークにおいて動作しているときに通信ユニットに呼出転送番号を提供する工程を含む請求項１２に記載の方法。
【請求項１４】
第２ネットワーク番号関連工程は第１のネットワークと第２のネットワークとの間のインタフェースを介して第２のネットワークにおける転送番号情報を第１のネットワークが直接的に操作する工程を含む請求項１２に記載の方法。
【請求項１５】
第２ネットワーク番号関連工程に続いて第１のネットワークにおいて通信ユニットに対する呼出を受信する工程と、
所定の呼出転送ループ条件が呼出に存在することを検出する工程と、
所定の呼出転送ループ条件が存在するとき、第１のネットワークボイスメールに呼出を転送する工程とを含む請求項１２に記載の方法。
【請求項１６】
通信ユニットは第１のネットワークを用いる第３のネットワーク番号を有することと、
通信ユニットの第２のネットワーク番号に対する転送番号は第３のネットワーク番号を含むことと、
第２ネットワーク番号関連工程に続いて第１のネットワークにおいて第３のネットワーク番号宛の呼出を受信する工程と、
通信ユニットが第１のネットワークにおいて動作していないとき、第１のネットワークボイスメールに呼出を転送する工程と、
通信ユニットが第１のネットワークにおいて動作しているとき、通信ユニットに呼出を転送する工程とを含む請求項１２に記載の方法。
【請求項１７】
第１のネットワークを用いる第１のネットワーク番号及び第２のネットワークを用いる第２のネットワーク番号を有する通信ユニットであって、
第１のネットワークにおいて動作しているときに第１のネットワークから転送番号を受信するように、かつ、
通信ユニットが第２のネットワークにおいて動作しているときに第２のネットワークにおける転送情報を操作して、通信ユニットに対する転送番号を第２のネットワークに使用させるように構成されている通信ユニット。
【請求項１８】
転送番号は条件付き転送番号及び無条件転送番号のうちの一方であることと、
転送番号が条件付き転送番号であるとき、第２のネットワークにおける転送情報を操作することは第２のネットワークにおける動作の開始後に条件付き転送番号を第２のネットワーク番号に対する条件付き転送情報と設定することを含むことと、
転送番号が無条件転送番号であるとき、第２のネットワークにおける転送情報を操作することは、第２のネットワークにおける動作の終了より前に無条件転送番号を第２のネットワーク番号に対する無条件転送情報と設定すること、及び、第２のネットワークにおける動作の開始後に第２のネットワーク番号に対する無条件転送情報を消去することを含むことと、を含む請求項１７に記載の通信ユニット。
【発明の詳細な説明】
【技術分野】
【０００１】
本発明は通信ネットワークに関する。より詳細には、本発明は疎結合ネットワークを共に形成する２つのネットワークの間における通信の転送に関する。
【背景技術】
【０００２】
例えば、企業サーバなどのＷＬＡＮサーバによりサポートされている無線ローカルエリアネットワーク（ＷＬＡＮ）や、移動交換局（ＭＳＣ）によりサポートされているセルラー・ワイドエリアネットワーク（ＷＡＮ）を含む疎結合ネットワークは、高速な無線インターネット接続、電話サービスの代替となる安価なサービス及び他のリアルタイムアプリケーションをユーザに提供する。デュアル・モード機能を備える無線通信ユニットは、通信ユニットがＷＬＡＮにおいて動作しているときには企業サーバを通じて、また、通信ユニットがＷＬＡＮの外にあるときにはＷＡＮを通じて、音声・データ通信機能を提供することができる。
【０００３】
このような両用（ｄｕａｌ−ｕｓｅ）即ちデュアル・モードの通信ユニットは、疎結合ネットワーク内においてＷＬＡＮカバレッジとＷＡＮカバレッジとの間を移動するとき、呼出転送を用いて、通信ユニットのＷＬＡＮ番号宛のＷＬＡＮ呼出をその通信ユニットのセルラー番号即ちＷＡＮ番号に経路指定することができる。また反対に、通信ユニットのセルラー番号即ちＷＡＮ番号宛の呼出をその通信ユニットのＷＬＡＮ番号に経路指定することができる。通信ユニットが例えばＷＬＡＮにおいて利用可能でないときなど、一定の呼出条件の下では、ＷＬＡＮは呼出転送を実行し、例えばＷＡＮなど別のネットワークに呼出を送ることができる。しかしながら、ＷＡＮも呼出転送を実行しており、呼出を通信ユニットに送ることが不可能であるため、呼出をＷＬＡＮに送り返すとき、呼出転送ループ即ち巡回呼出転送ループが形成される場合がある。
【０００４】
したがって、呼出転送により無線通信ネットワークにおいて形成される呼出転送ループを解消する必要がある。
【発明を実施するための最良の形態】
【０００５】
全体的には、本発明は、セルラー電話機、双方向無線機、無線ローカルエリアネットワーク（ＬＡＮ）ユニット（局、即ち、８０２．１ｘ仕様におけるＳＴＡ）など、多くの場合には通信ユニット又は加入者ユニットと呼ばれる無線通信デバイス又はユニットと、そうした通信ユニットに音声・データ通信サービスなどのサービスを提供する通信システムとに関する。より詳細には、種々の発明概念及び原理は、通信ユニットが疎結合ネットワークにおいて２つの無線通信システムのそれぞれのサービスの間を移動するときに形成される巡回呼出転送ループを防止するためのシステム、通信ユニット及びシステムアクセスポイント並びにそれらにおいて実施される方法により実施される。巡回呼出転送ループは、より一般的には呼出転送ループと呼ばれる。本明細書においては、通信ユニットという用語は無線加入者デバイス、加入者デバイス又は加入者ユニットと交換可能に用いられる場合があるが、これらの用語の各々は、通常、ユーザに関連するデバイスを示すことに留意されたい。このようなユニットの例としては、パーソナルデジタルアシスタント、個人割当パッド（ｐｅｒｓｏｎａｌ  ａｓｓｉｇｎｍｅｎｔ  ｐａｄ）、無線動作を備えるパーソナルコンピュータ、セルラーハンドセット若しくはデバイス又はこれらの均等物などがある。
【０００６】
特に対象となる通信ユニットは、通常、ＷＬＡＮ機能と呼ばれるＩＥＥＥ８０２．１１、ＩＥＥＥ８０２．１５、Ｂｌｕｅｔｏｏｔｈ（登録商標）又はＨｉｐｅｒ−Ｌａｎなど
の近距離通信機能と、従来の無線通信機能との両方を提供すること又は補助することが可能な両用即ちデュアル・モードのユニットであり、好適には、ＣＤＭＡ、周波数ホッピング又はＴＤＭＡ接続技術と、伝送制御プロトコル／インターネットプロトコル（ＴＣＰ／ＩＰ）や、ボイスオーバインターネットプロトコル（Ｖｏｉｃｅ  Ｏｖｅｒ  ＩＰ）、インターパケット交換／逐次パケット交換（ＩＰＸ／ＳＰＸ）、ネットワーク基本入出力システム（Ｎｅｔ  ＢＩＯＳ）、ＧＳＭ、ＵＭＴＳ、ワイドバンドＣＤＭＡその他のプロトコル構造をサポートするＨ．３２３及びセッション開始プロトコル（ＳＩＰ）などのプロトコルなど、種々のネットワーク・プロトコルのうちの１つ以上とを利用する。
【０００７】
図１を参照しながら、呼出転送ループの解消され得る概略の代表的な環境即ちシステム１０について説明する。システム１０は一般に疎結合ネットワークを含む。この疎結合ネットワークでは、デュアル・モード第１通信ユニット即ち両用第１通信ユニット（第１の通信ユニット）１２は、無線ローカルエリアネットワーク（ＷＬＡＮ）１４、より一般的には第１の通信ネットワーク、のサービス、即ち、ＷＬＡＮ１４により提供されるサービスと、セルラー・ワイドエリアネットワーク（ＷＡＮ）１６、より一般的には第２の通信ネットワーク、のサービス、即ち、ＷＡＮ１６により提供されるサービスとの間で移動することが可能である。また、第２の通信ユニット１８は、公衆交換電話網（ＰＳＴＮ）２０を通じて第１の通信ユニット１２と通信可能である。
【０００８】
第１の通信ユニット１２は、ＷＬＡＮ番号、より一般的には第１のネットワーク番号Ｐ１と、ＷＡＮ番号、より一般的には第２のネットワーク番号Ｐ２との両方を有する。また、本明細書全体を通じて用語「番号」を用いるが、ユーザ識別子が関連付けられている特定の通信ユニットに応じて「番号」がＩＰアドレス、セッション開始プロトコル（ＳＩＰ）ＵＲＩ又は固定若しくは無線の回線番号など、より広範な任意のユーザ識別子を意味することが、当業者には理解されるであろう。
【０００９】
第２の通信ユニット１８は、例えば、ＷＡＮ１６を通じて通信可能な従来のセルラーデバイス又はＷＬＡＮ１４を通じて通信可能な従来の有線デバイス若しくはインターネットプロトコル（ＩＰ）デバイスなど、任意の種類の通信ユニットであってよい。しかしながら、説明のため、一般に第２の通信ユニット１８を、ＰＳＴＮ２０を通じて第１の通信ユニット１２との通信の確立を試行するデバイスとして説明及び図示する。
【００１０】
さらに、システム１０にはＷＬＡＮ１４及びＷＡＮ１６により形成される疎結合ネットワークを示すが、より一般的には、この疎結合ネットワークは、デュアル・モード通信ユニットが動作可能であり、かつ、このデュアル・モード通信ユニットがＷＬＡＮ１４及びＷＡＮ１６のそれぞれのサービス・エリア間を移動することにより巡回呼出転送ループが形成され得る任意の２つの通信ネットワークから形成され得る。このような疎結合ネットワークは、例えば、ホームネットワーク及びセルラーネットワーク、ホームネットワーク及びオフィスネットワーク、オフィスネットワーク及びセルラーネットワーク、オフィスネットワーク及びオフィスネットワーク、ホームネットワーク及びホームネットワーク、上述の任意のネットワークに接続されている電子メールネットワーク又は上述の任意のネットワークに接続されているマルチメディアネットワークにより形成され得る。
【００１１】
ＷＬＡＮ１４は企業サーバ２１を備える。企業サーバ２１はＷＬＡＮアクセスポイント（ＷＬＡＮ  ＡＰ）２２など１つ以上のアクセスポイントに接続されており、第１の通信ユニット１２に企業ボイスメール２４を供給する。好適には、当業者には周知のように、ＷＬＡＮ１４は呼出設定及び呼出制御のためにセッション開始プロトコル（ＳＩＰ）を用い、ＳＩＰレジストラ２６を備える。ＳＩＰレジストラ２６は、第１の通信ユニット１２がＷＬＡＮ１４においてＷＬＡＮモードで動作しているときに第１の通信ユニット１２の位置を追跡して記録するためのデータベースであり、構内交換機（ＰＢＸ）又はネットワ
ーク交換機即ち交換機能２８内に格納されるか、或いはＰＢＸ２８とは別に格納される。これに代えて、ＷＬＡＮ１４は呼出設定及び呼出制御のために従来の電話プロトコルを用いてもよい。ＰＢＸ２８は当業者には周知のようにＷＬＡＮ１４内で呼出を交換するためのものであるが、以下でより詳細に説明するように、呼出転送ループ解消ルーチンの種々の実施形態を実装又は補助する。
【００１２】
ＷＡＮ１６は、ＢＴＳ３０など１つ以上のセルラー基地局発信機（ＢＴＳ）及び移動交換局（ＭＳＣ）３２を含め、周知の構成要素を備える。ＢＴＳ３０は、ＷＬＡＮ１４により提供されるカバレッジと重なるか或いは重ならない、セルラーＷＡＮカバレッジを提供する。加えて、ＷＡＮ１６は従来のホーム・ロケーション・レジスタ（ＨＬＲ）３４を備える。ＨＬＲ３４はＭＳＣ３２内に格納されるか或いはＭＳＣ３２とは別に格納されるデータベースであり、当業者には周知のように、第１の通信ユニット１２がＷＡＮ１６においてセルラーモード即ちＷＬＡＮモードで動作しているとき、第１の通信ユニット１２の位置を記録するためのものである。
【００１３】
図２により詳細に示すように、ＰＢＸ２８は、例えば、Ａｖａｙａ  ＭｕｌｔｉＶａｎｔａｇｅ（商標）コントローラなど、呼出コントローラ即ちコントローラ３６を備える。コントローラ３６はゲートウェイ４２に対する呼出を設定するとともに、プロセッサ３８及び対応するコントローラ・メモリ４０を備える。当業者には周知のように、ゲートウェイ４２は音声及びデータ・トラフィックを交換し、ＰＢＸ２８を通じてＷＬＡＮ  ＡＰ２２をＰＳＴＮ２０に接続する。これに代えて、ゲートウェイは、例えば、一連のリレー又はデジタル交換機など、任意の交換構成要素又は交換機構であってよい。以下にさらに詳細に説明するように、コントローラ・メモリ４０はＰＢＸオペレーティングシステムと、例えば、パケットデータ交換・経路指定ルーチン、幹線回線交換・経路指定ルーチン及び多くの新規ルーチン又は全ての新規ルーチンなどのソフトウェアルーチンと、プロセッサ３８がシステム１０内の巡回呼出転送ループを解消するために必要な機能とを備えるようにプログラムされる。
【００１４】
ＷＬＡＮ即ち第１のネットワーク１４は、ＷＬＡＮ番号即ち第１のネットワーク番号Ｐ１と、第１の通信ユニット１２の対応するＷＡＮ番号、セルラー番号、即ち第２のネットワーク番号Ｐ２との両方を記憶することに留意されたい。好適には、この情報はＰＢＸ２８において記憶される。ＷＬＡＮ１４は、ＳＩＰレジストラ２６から又は第１の通信ユニット１２からの提供を介して、この情報を入手することが可能である。ＷＬＡＮ１４は、第１の通信ユニット１２に対するＰ１による呼出を受信し、その呼出がＷＬＡＮ１４においては配信が不可能であるとき、この情報を用いて、この呼出を第２のネットワーク番号Ｐ２によりＷＡＮ１６に転送することが可能である。
【００１５】
さらに、システム１０内の又は任意の疎結合ネットワーク内の巡回呼出転送ループを防止するためのルーチン及び機能を、ＰＢＸ２８のみならず、システム１０内のＰＢＸ２８以外の位置において、ハードウェア、ソフトウェア又はその両方の組み合わせを通じて全体的に又は部分的に実施してよいことに留意されたい。代替の位置としては、例えば、ＰＳＴＮ２０、ＭＳＣ３２又は必要な交換機能及びサーバ機能を備える任意の他の位置などがある。
【００１６】
ＷＬＡＮ即ち第１のネットワーク１４は、呼出をＷＡＮ即ち第２のネットワーク１６における通信ユニット１２の第２の番号に対する転送番号に関連付けるため、幾つかの方法のうちの１つを用いてよい。これらの方法により、転送番号など、第１の通信ユニット１２のＷＡＮ番号Ｐ２に対する転送情報が、ＭＳＣ３２にプログラムされる。転送情報は、無条件呼出転送番号（ＣＦＵ；Ｕｎｃｏｎｄｉｔｉｏｎａｌ  Ｃａｌｌ  Ｆｏｒｗａｒｄｉｎｇ  ｎｕｍｂｅｒ）などの無条件転送情報及び条件付き呼出転送情報のうちの１つ以
上から構成され得る。条件付き転送情報は、ＷＡＮ１６において第１の通信ユニット１２が話中（Ｂｕｓｙ）である（ＣＦＢ）とＭＳＣ３２が判定したとき、ＭＳＣ３２により用いられる呼出転送番号であってもよく、ＷＡＮ１６において第１の通信ユニット１２が到達不能（Ｎｏｔ  Ｒｅａｃｈａｂｌｅ）である、即ち、応答しない（Ｎｏｔ  Ｒｅｐｌｙ）とき（ＣＦＮＲ）に用いられる呼出転送番号であってもよい。
【００１７】
ＷＬＡＮ１４が呼出を転送番号に関連付けるための１つの方法は、第１の通信ユニット１２が第１のネットワークにおいて動作しているとき、ＷＬＡＮ１４が第１の通信ユニット１２に転送情報又は転送番号を提供することである。即ち、第１の通信ユニット１２は１つ以上の転送番号を受信し、この１つ以上の転送番号を、例えば内部メモリに、記憶する、即ち、保持する。第１の通信ユニット１２は、ＷＡＮ１６に進入するとき及び退出するとき、ＭＳＣ３２における転送情報を操作するようにプログラムされる。好適には、ＷＬＡＮ１４その他のエンティティは、条件付き転送番号及び無条件転送番号の両方を提供する。
【００１８】
一部の実施形態では、第１の通信ユニット１２は次のように転送情報を操作するようにプログラムされる。第１の通信ユニット１２は、ＷＡＮ１６に進入してＷＡＮ１６において動作を開始するとき、第１の通信ユニット１２のＷＡＮ番号Ｐ２としてＭＳＣ３２が記憶している無条件転送情報又は番号を消去するよう、ＭＳＣ３２に要求する。また、第１の通信ユニット１２は、ＷＡＮ番号Ｐ２に対する条件付き転送情報又は番号をＷＬＡＮ１４により予め提供されている条件付き転送番号と設定するよう、ＭＳＣ３２に要求する。第１の通信ユニット１２は、ＷＡＮ１６から退出するとき、ＷＡＮ１６における動作の終了より前に、ＷＡＮ番号Ｐ２に対する無条件転送情報又は番号をＷＬＡＮ１４により予め提供されている無条件転送番号と設定するよう、ＭＳＣ３２に要求する。
【００１９】
ＷＬＡＮ１４が呼出を転送番号に関連付けるための別の方法は、ＷＬＡＮ１４がＭＳＣ３２における転送情報を直接的に操作することが可能であるように、ＷＬＡＮ１４が第２のネットワークのＭＳＣ３２へのウェブ・インタフェース又は別のインタフェースを用いることである。通常、このことは、ＰＢＸ２８など、第１の通信ユニット１２がＷＬＡＮ１４に進入しているか或いは退出しているかを検出することが可能な、ＷＬＡＮ１４におけるエンティティにより行われる。好適には、ＷＬＡＮ１４は、第１の通信ユニット１２に対する条件付き転送番号及び無条件転送番号の両方を有する。
【００２０】
ＷＬＡＮ１４は転送情報を次のように操作する。ＷＬＡＮ１４は、第１の通信ユニット１２がＷＬＡＮ１４から退出するためＷＡＮ１６に進入し得ることを検出するとき、通信ユニット１２のＷＡＮ番号Ｐ２としてＭＳＣ３２が記憶している無条件転送番号を消去するよう、ＭＳＣ３２に要求する。また、ＷＬＡＮ１４は、ＷＡＮ番号Ｐ２に対する１つ以上の条件付き転送番号を第１の通信ユニット１２に対する条件付き転送番号と設定するよう、ＭＳＣ３２に要求する。また、ＷＬＡＮ１４は、第１の通信ユニット１２がＷＬＡＮ１４に進入するためＷＡＮ１６から退出し得ることを検出するとき、ＷＡＮ番号Ｐ２に対する無条件転送番号を第１の通信ユニット１２に対する無条件転送番号と設定するよう、ＭＳＣ３２に要求する。ＷＬＡＮ１４がＭＳＣにおけるＷＡＮ番号Ｐ２に対する転送情報を直接的に操作するには、Ｐ２を有する第１の通信ユニット１２とＭＳＣ３２との間で用いられるパスワード及びユーザＩＤなどのセキュリティ情報を、ＷＬＡＮ１４が認識していることが必要な場合がある。
【００２１】
呼出を転送番号に関連付けることにより、第１の通信ユニット１２がＷＡＮ１６を退出した後には、ＭＳＣ３２により第１の通信ユニット１２のＷＡＮ番号Ｐ２宛の呼出は無条件転送番号に転送され、第１の通信ユニット１２がＷＡＮ１６において動作しておりＷＡＮ１６において到達可能であるときには、ＷＡＮ番号Ｐ２宛の呼出は転送されずにＷＡＮ
１６を介して第１の通信ユニット１２に宛てられ、第１の通信ユニット１２がＷＡＮ１６において動作しているが、話中であるため又は応答しないためＷＡＮ１６に到達不可能であるときには、ＷＡＮ番号Ｐ２宛の呼出は条件付き転送番号に転送される。無条件呼出転送番号であるＣＦＵとしては、通常、企業番号即ちＷＬＡＮ１４の番号、Ｐ１が選択される。条件付き呼出転送番号であるＣＦＢ／ＣＦＮＲとしては、通常、企業、第１のネットワーク即ちＷＬＡＮの番号Ｐ１、又はＷＬＡＮ１４において終端されるボイスメール番号が選択される。このボイスメール番号は、第１の通信ユニット１２が番号Ｐ１とは異なる別個の番号を有する第１のネットワークボイスメール１４を備える場合にのみ用いられ得る。
【００２２】
ここで図１，２を参照するとともに、図３〜７を参照して、巡回呼出転送ループを防止するための幾つかのルーチンについて説明する。これらのルーチンの説明の全体を通じて、第１の通信ユニット１２は企業モード即ちＷＬＡＮモードで動作しておらず、したがって、ＷＡＮ１６においてセルラーモード即ちＷＡＮモードで動作しているか、或いは、例えば、ユーザによりスイッチがオフにされている場合など、全く動作していないと仮定する。さらに、第１の通信ユニット１２は企業番号即ちＷＬＡＮ番号Ｐ１及びセルラー番号即ちＷＡＮ番号Ｐ２の両方を有するようにプログラムされている、即ち、両方を認識すると仮定する。また、他に記載のない限り、第２の通信ユニット１８は最初に配線ＰＳＴＮ回線を通じて第１の通信ユニット１２の企業番号Ｐ１に呼出を行うと仮定し、第１の通信ユニット１２は、例えば別の呼出により、話中であるか、或いは、ＷＡＮ１６により到達可能でないと仮定する。
【００２３】
しかしながら、図１の構成は例示的な構成に過ぎないこと、また、下記のルーチンは、それぞれの通信ユニットのシステム位置又はネットワーク位置及び通信ユニットの種類に関わらず、通信ユニットが別の通信ユニットのＩＰ番号、セル番号又は固定回線番号に呼出を行い、１つのネットワークにより異なるネットワークを介して他の通信ユニットに呼出が転送される任意の疎結合ネットワーク・シナリオに適用可能であることを理解されたい。さらに、一般にＰＢＸ２８という語によりＰＢＸ２８の動作について説明するが、ＰＢＸ２８の機能はコントローラ・メモリ４０にプログラムされ、このコントローラ・メモリ４０がプロセッサ３８の動作を制御することも理解されたい。
【００２４】
図３には、第１の通信ユニット１２における別個のボイスメール番号の使用により巡回呼出転送ループを防止するための、第１のルーチンを示す。５０にて、第２の通信ユニット１８は第１の通信ユニット１２の企業（ＷＬＡＮ）番号Ｐ１への呼出を開始する。しかしながら、５２にて、ＰＢＸ２８は第１の通信ユニット１２がＷＬＡＮ１４において動作していないと判定し、この呼出を第１の通信ユニット１２のセルラー（ＷＡＮ）番号Ｐ２に転送する。
【００２５】
加えて、５２における呼出の転送の前に、転送と同時に又は転送の後に、ＷＬＡＮ１４はセルラー番号Ｐ２宛の呼出を呼出転送番号に関連付ける。この呼出転送番号は、例えば、特定人宛てのボイスメール番号Ｐ３である。この番号Ｐ３はＷＬＡＮ１４、詳細にはＰＢＸ２８にて終端される。したがって、第１の通信ユニット１２が条件付き呼出転送シナリオ（即ち、呼出話中、到達不能、応答しない、アラート中転送、又は転送即時応答）又は無条件呼出転送シナリオ（即ち、ＭＳＣ３２が第１の通信ユニット１２を呼び出すことなく、かつ、第１の通信ユニット１２の状態を確認することなく、いずれの呼出も第１の通信ユニット１２に転送するように指示されている）により、ＷＡＮ１６を介して呼出を受容することが不可能なとき、ＭＳＣ３２は呼出を呼出転送番号に転送する。この場合には、呼出転送番号はボイスメール番号Ｐ３に等しい。電話番号が等しいことにより、電話番号に対する呼出の経路指定に影響を与えない国コード、エリアコード、括弧、空白及びダッシュの有無などの差異は許容されることを理解されたい。
【００２６】
５４にて、ＰＢＸ２８はＷＡＮ１６からボイスメール番号Ｐ３に対する呼出を受信する。５６にて、ゲートウェイ４２により呼出が交換されるため、ＰＢＸ２８は特定人宛てのボイスメール番号Ｐ３がボイスメール番号であることを検出し、第１の通信ユニット１２のＷＬＡＮボイスメール２４のボイスメール番号Ｐ３に関連付けられているボイスメールボックスに呼出を転送する。ＰＢＸ２８がＷＬＡＮボイスメール２４に呼出を転送すると、ルーチンは終了する。
【００２７】
図４には、呼出者ＩＤなど、第１の通信ユニット１２への呼出に対応する識別データの使用により巡回呼出転送ループを防止するための、第２のルーチンを示す。６０にて、第２の通信ユニット１８は第１の通信ユニット１２の企業（ＷＬＡＮ）番号Ｐ１への呼出を開始する。しかしながら、６２にて、ＰＢＸ２８は第１の通信ユニット１２がＷＬＡＮ１４において動作していないと判定し、この呼出を第１の通信ユニット１２のセルラー番号Ｐ２に転送する。加えて、６２における呼出の転送の前に、転送と同時に又は転送の後に、ＷＬＡＮ１４はセルラー番号Ｐ２宛の呼出を第１の通信ユニット１２のＷＬＡＮ番号Ｐ１に等しい転送番号に関連付ける。６４にて、ＰＢＸ２８がこの呼出を受信することや、又は、例えば転送番号がＰ１に等しいために、ＷＡＮ１６から企業番号Ｐ１に宛てて戻される別の呼出を受信することにより、所定の呼出転送条件が存在する。より詳細には、少なくとも第１の通信ユニット１２がＷＬＡＮ１４において動作していないときには、ＰＢＸ２８のコントローラ・メモリ４０は呼出ループ形成防止処置を適用して、例えば呼出者識別データなど、第１の通信ユニット１２に対する任意の着信呼出の第１の識別データ、特に６０にて開始された呼出に対する第１の呼出者ＩＤを記憶する。また次に、６４にてＷＡＮ１６から別の呼出を受信するとき、ＰＢＸ２８のコントローラ・メモリ４０は呼出の第１の識別データ即ち呼出者識別データを第２の識別データ即ち呼出者識別データと比較するか、或いは、呼出の第２の呼出者識別データを記憶する。
【００２８】
続いて、６６にて、第１の識別データを第２の識別データと比較することにより呼出転送ループが示される場合、ＰＢＸ２８は第１の通信ユニット１２のＷＬＡＮボイスメール２４に呼出を転送する。一部の実施形態では、第１の呼出者識別データが第２の呼出者識別データと一致するために呼出転送ループが示されるとき、第２の呼出はボイスメール２４に転送されて、ルーチンが終了する。この第２のルーチンにより、第２の通信ユニット１８における呼出者の呼出者ＩＤとは異なる呼出者ＩＤを有する第３の呼出者が企業番号Ｐ１を呼び出すことが可能となるとともに、企業番号Ｐ１への呼出がセルラー番号Ｐ２に適正に転送されることが可能となることに留意されたい。
【００２９】
転送番号は、ＷＬＡＮにて終端されるとともに、例えば、ＷＬＡＮにおける通信ユニットに対する標識番号その他の番号として作用する、第３のネットワーク番号Ｐ１’であってもよいことに留意されたい。呼出が第３のネットワーク番号宛であるときには、その呼出を第１のネットワークボイスメールに転送することも可能であり、これに代えて、通信ユニットがＷＬＡＮにおいて動作している場合には、通信ユニットに転送することも可能である。そのため、呼出の出所を判定する必要なく、これらの呼出をボイスメールに送ることができるという利点が生じる。また、ＷＬＡＮ即ち第１のネットワークにて終端される、即ち、ＷＬＡＮ即ち第１のネットワークへの経路指定が可能である、比較的多くの番号を用いることに関する問題が存在する。これらの番号が一時的な経路指定状況においてのみ用いられる場合、ＰＢＸ２８は第２のネットワークから経路指定して戻される呼出に対しては通信ユニットに一時的に番号を割り当て、通信ユニットが再びＷＬＡＮ即ち第１のネットワークにおいて動作するとき、その番号を他のユニットに再び割り当てることが可能である。
【００３０】
図５には、呼出に対応する識別データを用いる、より詳細には、第１の通信ユニット１
２宛の呼出に対する呼出者識別データに対し、ループの証印（ｉｎｄｉｃｉａ）、より詳細には、呼出プレフィックス又はサフィックスを追加することにより、呼出転送ループ即ち巡回呼出転送ループを防止するための、第３のルーチンを示す。７０にて、第２の通信ユニット１８は第１の通信ユニット１２の企業（ＷＬＡＮ）番号Ｐ１への呼出を開始する。次に、ＰＢＸ２８は、この呼出に対する呼出者識別データを読み出す。しかしながら、７２にて、ＰＢＸ２８は第１の通信ユニット１２がＷＬＡＮ１４において動作していないと判定し、この呼出を第１の通信ユニット１２のセルラー番号Ｐ２に転送する。また、７２にて、コントローラ３８は呼出ループ形成防止処置を適用して、７０において呼出に対して読み出された呼出者識別データに対し、例えばプレフィックスなど、ループ証印を追加することにより、転送された呼出に対する識別データを構築し、その結果を、例えば、呼出に対する呼出設定メッセージに呼出者識別データを含むループ証印を含めることにより、例えば、転送される呼出に記憶する。プレフィックスは、例えば、９９９などであってよい。通常、識別データ、例えば呼出設定メッセージなどは、ＰＢＸ２８とセルラーネットワーク即ちＷＡＮ１６との間において用いられている特定の通信プロトコルによる呼出と共に発信される。加えて、７２における呼出の転送の前に、転送と同時に又は転送の後に、ＷＬＡＮ１４はセルラー番号Ｐ２宛の呼出を第１の通信ユニット１２のＷＬＡＮ番号Ｐ１に等しい転送番号に関連付ける。
【００３１】
７４にて、呼出が第１の通信ユニット１２に対し転送される場合、呼出が転送される前に呼出者識別データに追加されたプレフィックス又はサフィックスを除去するようにＭＳＣ３２をプログラムするか、或いは、ユーザに呼出者識別データを表示する前にプレフィックス又はサフィックスを除去するように第１の通信ユニット１２をプログラムする必要がある。７６にて、ＭＳＣ３２が第１の通信ユニット１２に呼出を転送せず、企業番号Ｐ１に対して呼出をＰＢＸ２８に送り返すため、所定の呼出転送ループ条件が生じる場合、プロセッサ３８はＭＳＣ３２から戻される呼出に対応するループ証印を確認し、これをＷＡＮに最初に転送された呼出に対するループ証印と比較する。７８にて、一致が見出されて呼出転送ループが示されるとき、ＰＢＸ２８は呼出を第１の通信ユニット１２のＷＬＡＮボイスメール２４に転送する。１つのプレフィックス又はサフィックスが用いられるとき、プロセッサ３８はプレフィックス又はサフィックスが存在するか否かを判定することに留意されたい。プレフィックス又はサフィックスが検出される場合、条件付き呼出転送シナリオ又は無条件呼出転送シナリオにより、第１の通信ユニット１２がＷＡＮにおいて呼出を受容することが不可能であると示される。このとき、ルーチンは終了する。
【００３２】
図６には、識別データの使用、詳細には、第１の通信ユニット１２における呼出発生数に対する所定の制限により巡回呼出転送ループを防止するための、第４のルーチンを示す。一部の実施形態では、この所定の制限は、例えば１つの作動呼出及び１つの保留呼出など、２つに設定される。しかしながら、特定のネットワーク動作パラメータにより、この制限が設定されてよい。
【００３３】
８０にて、第２の通信ユニット１８は第１の通信ユニット１２の企業（ＷＬＡＮ）番号Ｐ１に対する呼出を開始する。しかしながら、８２にて、ＰＢＸ２８は第１の通信ユニット１２がＷＬＡＮ１４において動作していないと判定し、この呼出を第１の通信ユニット１２のセルラー番号Ｐ２に転送する。加えて、５２における呼出の転送の前に、転送と同時に又は転送の後に、ＷＬＡＮ１４はセルラー番号Ｐ２宛の呼出を第１の通信ユニットのＷＬＡＮ番号Ｐ１に等しい転送番号に関連付ける。また、８４にて、ＰＢＸ２８は呼出ループ形成防止処置を適用して、第１の通信ユニット１２に対し転送されている呼出が第１の通信ユニット１２に対する呼出発生であると確認及び判定する。ＰＢＸは記憶されている記録した呼出発生数を読み出してインクリメントし、ＰＢＸ２８に認識されている、第１の通信ユニット１２に対する記録した呼出発生数を更新して記憶する。典型的な通信ユニットは、１つの作動呼出及び１つの保留呼出など、同時に２つの呼出発生しか処理でき
ないことに留意されたい。当業者には周知のように、転送された呼出を第１の通信ユニット１２が終端させるときＰＢＸ２８に対し通知されるため、ＰＢＸ２８は転送された呼出の持続時間を判定するとともに、成功裏に転送され第１の通信ユニット１２において作動する呼出の事例の数、即ち、呼出発生数を推定することが可能である。詳細には、転送された呼出が終端されたとＰＢＸ２８に対し通知されると、ＰＢＸ２８はＰＢＸ２８が認識している第１の通信ユニット１２に対する呼出発生数をディクリメントする。
【００３４】
８４にて、所定の呼出転送条件が存在するために、ＰＢＸ２８はＷＡＮ１６から戻される呼出を受信する。８４においては、ＰＢＸ２８は、呼出を企業番号Ｐ１に対する着信呼出として認識するので、８４における呼出が８０における呼出に関連するか否かの判定を試行しない。むしろ、まだ呼出転送ループ条件を検出していないため、８６にて、再びＰＢＸ２８は第１の通信ユニット１２がＷＬＡＮ１４において動作していないと判定して、再び呼出を第１の通信ユニット１２のセルラー番号Ｐ２に転送する。８８においては、再びＰＢＸ２８は、呼出を企業番号Ｐ１に対する着信呼出として認識するので、８４における呼出が８０又は８４における呼出に関連するか否かの判定を試行しない。しかしながら、８６又は８８にて、ＰＢＸ２８は第１の通信ユニット１２に対して２つの転送された呼出発生が存在すると確認及び判定する。２つの呼出発生が第１の通信ユニット１２において許容される呼出発生数の所定の制限である場合、ＰＢＸ２８は呼出を第１の通信ユニット１２のボイスメール２４に転送する。基本的には、ＰＢＸは通信ユニットにおいて記録した呼出発生数を記憶し、呼出の転送される毎にこの記録した数をインクリメントし、ある時点において、記録した呼出発生数を制限と比較することにより、制限が満たされていると判定して呼出転送ループを示すか、或いは、少なくとも通信ユニットに追加の呼出を転送する理由が存在しないことを示し、したがって、呼出を通信ユニットの第１のネットワークボイスメールに転送する。このとき、ルーチンは終了する。
【００３５】
この時点において、ボイスメール２４への呼出が終了するときを認識するようにＰＢＸ２８がプログラムされていることに留意されたい。続いて、８８に示すように、ＰＢＸ２８は呼出を終端させ、ＭＳＣ３２に通知する。ＭＳＣ３２は８６において開始された呼出を終了させ、ＰＢＸ２８に通知する。ＰＢＸ２８は８４において開始された呼出を終了させ、ＭＳＣ３２に通知する。次に、ＭＳＣ３２は８２において開始された呼出を終了させ、ＰＢＸ２８に通知する。ＰＢＸ２８は８０において開始された呼出を終了させる。
【００３６】
図７には、第１の通信ユニット１２への呼出に関連して、移動体加入者統合サービスディレクトリ番号（ＭＳＩＳＤＮ；Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｒｅｃｔｏｒｙ  Ｎｕｍｂｅｒ）データ・セット又はデータの使用により巡回呼出転送ループを防止するための、第５のルーチンを示す。当業者には周知のように、ＭＳＩＳＤＮデータは、例えば、統合サービスディレクトリ番号プライマリレートインタフェース（ＩＳＤＮ  ＰＲＩ；Ｉｎｔｅｇｒａｔｅｄ  Ｓｅｒｖｉｃｅｓ  Ｄｉｒｅｃｔｏｒｙ  Ｎｕｍｂｅｒ  Ｐｒｉｍａｒｙ  Ｒａｔｅ  Ｉｎｔｅｒｆａｃｅ）プロトコル、Ｑ．９３１プロトコル、シグナリングシステムＮｏ．７ＩＳＤＮユーザパート（ＳＳ７  ＩＳＵＰ）プロトコル、又はこの種のデータを搬送する任意の他のプロトコルによりサポートされているネットワークにおいて開始される呼出に関連するデータである。ＭＳＩＳＤＮデータにより、呼出者、被呼出者並びに被呼出者番号（ＣｄＰＮ；Ｃａｌｌｅｄ  Ｐａｒｔｙ  Ｎｕｍｂｅｒ）、呼出者番号（ＣｇＰＮ；Ｃａｌｌｉｎｇ
Ｐａｒｔｙ  Ｎｕｍｂｅｒ）、オリジナル被呼出番号（ＯＣＮ；Ｏｒｉｇｉｎａｌ  Ｃａｌｌｅｄ  Ｎｕｍｂｅｒ）及びリダイレクト番号（その呼出を最後にリダイレクトする即ち転送するもとの番号であるＲＧＮ；Ｒｅｄｉｒｅｃｔｉｎｇ  Ｎｕｍｂｅｒ）などのリダイレクト電話番号が識別される。
【００３７】
９２にて、第２の通信ユニット１８は第１の通信ユニット１２の企業（ＷＬＡＮ）番号
Ｐ１への呼出を開始する。しかしながら、９４にて、第１の通信ユニット１２がＷＬＡＮ１６において動作していないため、ＰＢＸ２８は呼出を第１の通信ユニット１２のＷＡＮ番号Ｐ２に転送する。また、９４にて、ＰＢＸ２８のプロセッサ３８は転送される呼出に、第２の通信ユニット１８の番号であるＣｇＰＮ、通信ユニット１２の企業番号Ｐ１であるＯＣＮ、及び第１の通信ユニット１２の企業番号Ｐ１であるＲＧＮのうちの１つ又は全てを含める。加えて、９４における呼出の転送の前に、転送と同時に又は転送の後に、ＷＬＡＮ１４はセルラー番号Ｐ２宛の呼出を第１の通信ユニット１２のＷＬＡＮ番号Ｐ１に等しい転送番号に関連付ける。９６にて、所定の呼出転送条件が存在するとき、ＭＳＣ３２は企業番号Ｐ１に対して呼出をＰＢＸ２８にリダイレクトして戻す。また、９６において、ＭＳＣ３２はリダイレクトされる呼出に、第２の通信ユニット１８の番号であるＣｇＰＮ、第１の通信ユニット１２の企業番号Ｐ１であるＯＣＮ、及び第１の通信ユニット１２のＷＡＮ番号Ｐ２であるＲＧＮのうちの１つ又は全てを含める。次に、９８にて、ＰＢＸ２８は受信された呼出に存在するＭＳＩＳＤＮを判定する。９８にて、受信された呼出にＲＧＮが存在し、かつ、ＲＧＮが呼出の受信される企業番号Ｐ１に対応するセルラー番号Ｐ２に等しいことにより、巡回呼出転送ループが存在することを示すとき、ＰＢＸ２８は呼出を第１の通信ユニット１２のボイスメール２４に転送する。ＰＢＸ２８は９２における呼出を含め、企業番号Ｐ１に対する受信された呼出のいずれをも検査するが、９２における呼出はオリジナルの呼出であるためＲＧＮは存在し得ないことが、当業者には理解されるであろう。このとき、ルーチンは終了する。
【００３８】
この時点において、ＰＢＸ２８が企業番号Ｐ１に対して現在転送されている全ての呼出に対するＯＣＮを記憶し、企業番号Ｐ１に対する受信された呼出の各々におけるＯＣＮを解析することにより、ボイスメール２４への呼出転送をトリガすることも可能であることに留意されたい。次に、受信されたＯＣＮと記憶しているＯＣＮとの一致を検出するとき、或いは、ＯＣＮが第２のネットワーク番号Ｐ２に等しいとき、ＰＢＸ２８は呼出をボイスメール２４に転送する。
【００３９】
上述にて図７により説明したＭＳＩＳＤＮデータ・セットに加えて、図８には、ＰＢＸ２８においてオリジナルの呼出を受信するより前にＰＢＸ２８においてＯＣＮ又はＲＮＧを用いて、ＷＬＡＮ１４において動作している第１の通信ユニット１２へ呼出を転送することにより巡回呼出転送ループを防止するための、第６のルーチンを示す。より詳細には、１９４にて、第２の通信ユニット１８は第１の通信ユニット１２のセルラー（ＷＡＮ）番号Ｐ２への呼出を開始する。１９６にて、所定の呼出転送条件が存在するとき、ＭＳＣ３２は企業番号Ｐ１に対して呼出をＰＢＸ２８にリダイレクトする。また、１９６にて、ＭＳＣ３２はリダイレクトされる呼出に、第２の通信ユニット１８の番号であるＣｇＰＮ、第１の通信ユニット１２のＷＡＮ番号Ｐ２であるＯＣＮ、及び第１の通信ユニット１２のＷＡＮ番号Ｐ２であるＲＧＮのうちの１つ又は全てを含める。随意で、１９８にて呼出を受信するより前に、ＷＬＡＮ１４はセルラー番号Ｐ２宛の呼出を、第１の通信ユニット１２のＷＬＡＮ番号Ｐ１に等しい転送番号に関連付ける。１９８にて、転送された呼出を受信すると、ＰＢＸ２８は受信された呼出に存在するＭＳＩＳＤＮを判定する。受信された呼出にＲＧＮが存在し、ＲＧＮが呼出の受信される番号Ｐ１の企業ＷＬＡＮ番号Ｐ１に対応するセルラーＷＡＮ番号Ｐ２に等しく、かつ、第１の通信ユニット１２がＷＬＡＮ１４において動作していないと判定することにより、巡回呼出転送ループが存在し得ることを示すとき、ＰＢＸ２８は呼出を第１の通信ユニット１２のボイスメール２４に転送する。これに代えて、ＰＢＸ２８は受信された呼出にＯＣＮが存在し、ＯＣＮが企業ＷＬＡＮ番号Ｐ１に対応するセルラーＷＡＮ番号Ｐ２に等しいと判定することにより、巡回呼出転送ループが存在し得ることを示してもよい。呼出がボイスメール２４に転送されると、ルーチンは終了する。
【図面の簡単な説明】
【００４０】
【図１】本発明により巡回呼出転送ループを防止するためのルーチンが実装される例示的な通信環境の代表的略図。
【図２】図１の構内交換機（ＰＢＸ）のより詳細なブロック図。
【図３】巡回転送ループを防止するための第１のルーチンを示すラダー図。
【図４】巡回転送ループを防止するための第２のルーチンを示すラダー図。
【図５】巡回転送ループを防止するための第３のルーチンを示すラダー図。
【図６】巡回転送ループを防止するための第４のルーチンを示すラダー図。
【図７】巡回転送ループを防止するための第５のルーチンを示すラダー図。
【図８】巡回転送ループを防止するための第６のルーチンを示すラダー図。
【図１】
2007512776.tif 000003
【図２】
2007512776.tif 000004
【図３】
2007512776.tif 000005
【図４】
2007512776.tif 000006
【図５】
2007512776.tif 000007
【図６】
2007512776.tif 000008
【図７】
2007512776.tif 000009
【図８】
2007512776.tif 000010
【国際調査報告】
2007512776.tif 000011
2007512776.tif 000012